(57)【特許請求の範囲】
【請求項１】
光信号を送信する発光部に対して、第１のデータ信号を供給する送信部と、
光信号を受信する受光部から、第１の発光停止命令を含む第２のデータ信号を受け取る受信部と
第１の電気信号を用いて通信相手との接続を検出する接続検出部と、
前記接続検出部における検出結果および前記第１の発光停止命令に基づいて、前記発光部における発光動作を停止させる制御部と
を備えた通信装置。
【請求項２】
前記送信部は、前記発光部における駆動電流の電流値を検出する検出部を有し、
前記制御部は、さらに、前記検出部における検出結果に基づいて、前記発光部における発光動作を停止させる
請求項１に記載の通信装置。
【請求項３】
前記第１のデータ信号は、前記発光部における前記第１のデータ信号の出力レベルを示すレベル情報を含む
請求項１または請求項２に記載の通信装置。
【請求項４】
ユーザの操作を受け付ける操作部をさらに備え、
前記制御部は、さらに、前記操作部が受け付けたユーザの操作に基づいて、前記発光部における発光動作を停止させる
請求項１から請求項３のいずれか一項に記載の通信装置。
【請求項５】
前記制御部は、さらに、前記接続検出部における検出結果に基づいて、前記通信相手の発光部における発光動作を停止させる第２の発光停止命令を生成し、
前記第１のデータ信号は、前記第２の発光停止命令を含む
請求項１から請求項４のいずれか一項に記載の通信装置。
【請求項６】
第１の通信装置と、
第２の通信装置と
を備え、
前記第１の通信装置は、
前記第２の通信装置に光信号を送信する発光部に対して、第１のデータ信号を供給する第１の送信部と、
前記第２の通信装置から送信された光信号を受信する受光部から、第１の発光停止命令を含む第２のデータ信号を受け取る第１の受信部と、
第１の電気信号を用いて前記第２の通信装置との接続を検出する第１の接続検出部と、
前記第１の接続検出部における検出結果および前記第１の発光停止命令に基づいて、前記発光部における発光動作を停止させる第１の制御部と
を有する
通信システム。
【請求項７】
前記第２の通信装置は、
前記第１の通信装置から送信された光信号を受信する受光部から、前記第１のデータ信号を受け取る第２の受信部と、
前記第１の電気信号を用いて前記第１の通信装置との接続を検出する第２の接続検出部と、
前記第２の接続検出部における検出結果に基づいて、前記第１の発光停止命令を生成する第２の制御部と、
前記第１の通信装置に光信号を送信する発光部に対して、前記第１の発光停止命令を送信する第２の送信部と
を有する
請求項６に記載の通信システム。
【発明の詳細な説明】
【技術分野】
【０００１】
本開示は、データのやり取りを行う通信装置、およびそのような通信装置を備えた通信システムに関する。
【背景技術】
【０００２】
近年の電子機器の高機能化および多機能化に伴い、電子機器は、他の電子機器と、より多くの情報をやりとりするようになってきている。例えば、電子機器は、しばしば他の電子機器と有線通信により接続される。有線通信では、より多くのデータのやりとりを行う場合には、しばしば光ファイバが用いられる。
【０００３】
光ファイバを用いた光通信システムでは、例えば光ファイバが外れた場合に光信号が人体に与える影響を抑えるような対策がしばしば施される。例えば、特許文献１には、光ファイバに取り付けられた端末が光コネクタに接続されているかどうかに基づいて、発光素子に駆動信号を供給する光出力制御方式が開示されている。また、例えば、特許文献２，３には、受信装置が受信エラーを検出した場合に、受信装置が送信装置に対して発光素子の発光を停止させる命令を送信する通信システムが開示されている。
【先行技術文献】
【特許文献】
【０００４】
【特許文献１】特開平４−１５５８７４号公報
【特許文献２】特開２００８−１９３３２７号公報
【特許文献３】特開平３−２３２３２８号公報
【発明の概要】
【発明が解決しようとする課題】
【０００５】
このように、通信システムでは、安全性が高いことが望まれており、さらなる安全性の向上が期待されている。
【０００６】
本開示はかかる問題点に鑑みてなされたもので、その目的は、安全性を高めることができる通信装置および通信システムを提供することにある。
【課題を解決するための手段】
【０００７】
本開示の通信装置は、送信部と、受信部と、接続検出部と、制御部とを備えている。送信部は、光信号を送信する発光部に対して、第１のデータ信号を供給するものである。受信部は、光信号を受信する受光部から、第１の発光停止命令を含む第２のデータ信号を受け取るものである。接続検出部は、第１の電気信号を用いて通信相手との接続を検出するものである。制御部は、接続検出部における検出結果および第１の発光停止命令に基づいて、発光部における発光動作を停止させるものである。
【０００９】
本開示の通信システムは、第１の通信装置と、第２の通信装置とを備えている。第１の通信装置は、第１の送信部と、第１の受信部と、第１の接続検出部と、第１の制御部とを有している。第１の送信部は、第２の通信装置に光信号を送信する発光部に対して、第１のデータ信号を供給するものである。第１の受信部は、第２の通信装置から送信された光信号を受信する受光部から、第１の発光停止命令を含む第２のデータ信号を受け取るものである。第１の接続検出部は、第１の電気信号を用いて第２の通信装置との接続を検出するものである。第１の制御部は、第１の接続検出部における検出結果および第１の発光停止命令に基づいて、発光部における発光動作を停止させるものである。
【００１０】
本開示の通信装置および通信システムでは、第１のデータ信号が発光部に供給され、光信号が送信される。その際、第１の電気信号を用いて、通信相手との接続が検出され、その検出結果に基づいて、発光部における発光動作が停止される。
【発明の効果】
【００１２】
本開示の通信装置および通信システムによれば、第１の電気信号を用いて通信相手との接続を検出し、その検出結果に基づいて、発光部における発光動作を停止させるようにしたので、安全性を高めることができる。
【００１４】
なお、ここに記載された効果は必ずしも限定されるものではなく、本開示中に記載されたいずれの効果があってもよい。
【図面の簡単な説明】
【００１５】
【図１】本開示の実施の形態に係る通信システムの一構成例を表すブロック図である。
【図２】図１に示した送信部の一構成例を表すブロック図である。
【図３】図１に示した受信部の一構成例を表すブロック図である。
【図４】変形例に係る通信システムの一構成例を表すブロック図である。
【図５】他の変形例に係る通信システムの一構成例を表すブロック図である。
【図６Ａ】図５に示した通信システムの一動作例を表す説明図である。
【図６Ｂ】図５に示した通信システムの一動作例を表す他の説明図である。
【発明を実施するための形態】
【００１６】
以下、本開示の実施の形態について、図面を参照して詳細に説明する。
【００１７】
［構成例］
図１は、一実施の形態に係る通信システム（通信システム１）の一構成例を表すものである。通信システム１は、光信号により通信を行うものである。通信システム１は、伝送ケーブル９０と、送信装置１０と、受信装置２０とを備えている。送信装置１０および受信装置２０は、伝送ケーブル９０を介して互いに接続されている。
【００１８】
伝送ケーブル９０は、光ファイバ９０１と、電線９１１〜９１３と、コネクタ９１，９２とを有している。光ファイバ９０１は、送信装置１０から受信装置２０に対してデータ信号を伝えるものである。電線９１１，９１２は、送信装置１０および受信装置２０が、相互間の接続を検出するための接続信号を伝えるものである。具体的には、電線９１１は、送信装置１０から受信装置２０に対して接続信号を伝えるものであり、電線９１２は、受信装置２０から送信装置１０に対して接続信号を伝えるものである。電線９１３は、受信装置２０から送信装置１０に対して制御信号ＣＴＬ１（後述）を伝えるものである。コネクタ９１は、伝送ケーブル９０の一端に設けられたものであり、送信装置１０のコネクタ１１と結合するように構成されている。コネクタ９２は、伝送ケーブル９０の他端に設けられたものであり、受信装置２０のコネクタ２１と結合するように構成されている。
【００１９】
（送信装置１０）
送信装置１０は、光ファイバ９０１を介して受信装置２０に対してデータ信号を送信するものである。送信装置１０は、コネクタ１１と、処理部１２と、送信部３０と、発光部１４と、接続検出部１５と、操作部１７と、受信部１８と、制御部１９とを有している。
【００２０】
コネクタ１１は、伝送ケーブル９０のコネクタ９１と結合するように構成されたものである。
【００２１】
処理部１２は、所定の処理を行うことによりデータＩＮＦ１および制御データＩＮＦＣ１を生成し、そのデータＩＮＦ１および制御データＩＮＦＣ１を送信部３０に供給するものである。その際、処理部１２は、出力レベル情報ＩＮＦＬ１に基づいて制御データＩＮＦＣ１を生成するようになっている。この出力レベル情報ＩＮＦＬ１は、発光部１４が出力する光信号の出力レベルＬoutを示す情報である。
【００２２】
送信部３０は、データＩＮＦ１および制御データＩＮＦＣ１に基づいて、データ信号Ｓ３０を生成するものである。また、送信部３０は、制御信号ＣＬＤ１１，ＣＬＤ１２に基づいて、発光部１４における発光動作を信号Ｓ３４を用いて制御する。また、送信部３０は、発光部１４における駆動電流に基づいて、発光停止命令ＣＯＭ１１を生成する機能をも有している。
【００２３】
図２は、送信部３０の一構成例を表すものである。この図では、送信部３０に加え、処理部１２および発光部１４をも描いている。送信部３０は、誤り訂正符号化部３１，３２と、フレーム生成部３３と、駆動電流制御部３４と、電源部３５と、駆動電流監視部３６とを有している。
【００２４】
誤り訂正符号化部３１は、データＩＮＦ１に基づいて誤り訂正符号化処理を行うことにより、データＩＮＦ１の誤り訂正符号を生成するものである。そして、誤り訂正符号化部３１は、生成した誤り訂正符号をデータＩＮＦ１とともにフレーム生成部３３に供給するようになっている。同様に、誤り訂正符号化部３２は、制御データＩＮＦＣ１に基づいて誤り訂正符号化処理を行うことにより、制御データＩＮＦＣ１の誤り訂正符号を生成するものである。そして、誤り訂正符号化部３２は、生成した誤り訂正符号を制御データＩＮＦＣ１とともにフレーム生成部３３に供給するようになっている。
【００２５】
フレーム生成部３３は、誤り訂正符号化部３１から供給されたデータＩＮＦ１およびそのデータＩＮＦ１の誤り訂正符号と、誤り訂正符号化部３２から供給された制御データＩＮＦＣ１およびその制御データＩＮＦＣ１の誤り訂正符号とに基づいて、フレームを生成するものである。そして、フレーム生成部３３は、そのフレームを、データ信号Ｓ３０を用いて発光部１４に供給するようになっている。
【００２６】
駆動電流制御部３４は、制御信号ＣＬＤ１１に基づいて、発光部１４における駆動電流を制御することにより、発光部１４が出力する光信号の出力レベルＬoutを制御するものである。その際、駆動電流制御部３４は、制御信号ＣＬＤ１１が、発光部１４における発光動作を停止するように指示するものである場合には、発光部１４に駆動電流が流れないようにするようになっている。電源部３５は、駆動電流制御部３４へ電源供給を行うものである。その際、電源部３５は、制御信号ＣＬＤ１２に基づいて、駆動電流制御部３４へ電源供給を停止することができるようになっている。
【００２７】
駆動電流監視部３６は、駆動電流検出部３７と、制限値記憶部３８と、電流値比較部３９とを有している。駆動電流検出部３７は、信号Ｓ１４に基づいて、発光部１４における駆動電流の電流値Ｉdrvを検出するものである。制限値記憶部３８は、発光部１４における駆動電流の上限値ＩdrvHを記憶するものである。電流値比較部３９は、駆動電流検出部３７が検出した駆動電流の電流値Ｉdrvと、制限値記憶部３８が記憶している駆動電流の上限値ＩdrvHとを比較し、電流値Ｉdrvが上限値ＩdrvHを上回っている場合には、発光停止命令ＣＯＭ１１を生成するものである。
【００２８】
発光部１４は、電気信号（データ信号Ｓ３０）を光信号に変換して、その光信号を出力するものであり、例えば、レーザダイオードなどを含んで構成されるものである。また、発光部１４は、信号Ｓ３４に基づいて駆動電流を変更することにより、光信号の出力レベルＬoutを変更するようになっている。また、発光部１４は、送信部３０に対して、駆動電流の電流値Ｉdrvを検出するための信号Ｓ１４を供給する機能をも有している。
【００２９】
接続検出部１５（図１）は、送信装置１０と受信装置２０とが互いに接続されていることを検出するものである。接続検出部１５は、接続信号送信部１５Ａと、接続信号受信部１５Ｂとを有している。接続信号送信部１５Ａは、接続信号を、電線９１１を介して受信装置２０に対して送信するものである。接続信号受信部１５Ｂは、受信装置２０の接続信号送信部２５Ａ（後述）から送信された接続信号を、電線９１２を介して受信することにより、送信装置１０と受信装置２０とが互いに接続されていることを検出するものである。そして、接続信号受信部１５Ｂは、その接続検出結果を制御部１９に通知するようになっている。その際、接続信号受信部１５Ｂは、送信装置１０と受信装置２０とが互いに接続されていないことを検出した場合には、発光停止命令ＣＯＭ１２を生成するようになっている。
【００３０】
操作部１７は、ユーザの操作を受け付けるものである。具体的には、操作部１７は、ユーザの操作に基づいて、発光停止命令ＣＯＭ１３を生成するようになっている。
【００３１】
受信部１８は、受信装置２０から送信された制御信号ＣＴＬ１を、電線９１３を介して受け取るものである。この制御信号ＣＴＬ１は、例えば、受信装置２０が、送信装置１０から送信されたデータ信号を受信できている旨の通知や、発光停止命令ＣＯＭ２２〜ＣＯＭ２５（後述）などを含むものである。そして、受信部１８は、この制御信号ＣＴＬ１を制御部１９に供給するようになっている。
【００３２】
制御部１９は、送信装置１０内の各ブロックの動作を制御するものである。具体的には、制御部１９は、接続信号受信部１５Ｂから、送信装置１０と受信装置２０とが互いに接続されている旨の通知を受けた場合には、送信部３０に制御信号ＣＬＤ１１，ＣＬＤ１２を供給することにより、発光部１４に所望の駆動電流が流れるように発光部１４を制御する。そして、制御部１９は、その駆動電流に対応する出力レベルＬoutを示す出力レベル情報ＩＮＦＬ１を生成し、その出力レベル情報ＩＮＦＬ１を処理部１２に対して供給する。また、制御部１９は、発光停止命令ＣＯＭ１１〜ＣＯＭ１３、ＣＯＭ２２〜ＣＯＭ２５（後述）を受け取った場合には、送信部３０に制御信号ＣＬＤ１１，ＣＬＤ１２を供給することにより、送信部３０に対して、発光部１４における発光動作を停止させるように指示するようになっている。
【００３３】
（受信装置２０）
受信装置２０は、光ファイバ９０１を介して送信装置１０から送信されたデータ信号を受信するものである。受信装置２０は、コネクタ２１と、受光部２２と、受信部４０と、処理部２４と、接続検出部２５と、操作部２７と、送信部２８と、制御部２９とを有している。
【００３４】
コネクタ２１は、伝送ケーブル９０のコネクタ９２と結合するように構成されたものである。
【００３５】
受光部２２は、送信装置１０から送信された光信号を電気信号に変換することにより、データ信号Ｓ２２を生成するものであり、例えば、フォトダイオードなどを含んで構成されるものである。
【００３６】
受信部４０は、データ信号Ｓ２２に基づいて、データＩＮＦ２および制御データＩＮＦＣ２を生成するものである。また、受信部４０は、データ信号Ｓ２２の入力レベルＬinに基づいて発光停止命令ＣＯＭ２４を生成するとともに、データ信号Ｓ２２の誤り率ＢＥＲに基づいて発光停止命令ＣＯＭ２５を生成する機能をも有している。
【００３７】
図３は、受信部４０の一構成例を表すものである。この図では、受信部４０に加え、受光部２２および処理部２４をも描いている。受信部４０は、入力レベル監視部５０と、フレーム分離部４１と、誤り訂正復号化部４２，４３と、誤り率監視部６０とを有している。
【００３８】
入力レベル監視部５０は、データ信号Ｓ２２の入力レベルＬinに基づいて、発光停止命令ＣＯＭ２４を生成するものである。入力レベル監視部５０は、入力レベル検出部５１と、制限値記憶部５２と、入力レベル比較部５３とを有している。入力レベル検出部５１は、データ信号Ｓ２２に基づいて、受光部２２が受け取った光信号の入力レベルＬinを検出するものである。制限値記憶部５２は、入力レベルＬinの上限値ＬinHおよび下限値ＬinLを記憶するものである。入力レベル比較部５３は、入力レベル検出部５１が検出した入力レベルＬinと、制限値記憶部５２が記憶している入力レベルＬinの上限値ＬinHおよび下限値ＬinLとを比較し、入力レベルＬinが上限値ＬinHを上回っている場合、または、入力レベルＬinが下限値ＬinLを下回っている場合に、発光停止命令ＣＯＭ２４を生成するものである。また、入力レベル比較部５３は、処理部２４から供給された出力レベル情報ＩＮＦＬ１が示す、発光部１４が出力する光信号の出力レベルＬoutに基づいて、光伝送路（光ファイバ９０１およびコネクタ９１，９２，１１，２１）による損失、受光部２２の最小受光感度などを考慮して、入力レベルＬinの範囲を見積る。そして、入力レベル比較部５３は、入力レベル検出部５１が検出した入力レベルＬinが、そのようにして見積られた入力レベルＬinの範囲の範囲外である場合にも、発光停止命令ＣＯＭ２４を生成するようになっている。
【００３９】
フレーム分離部４１は、データ信号Ｓ２２に基づいて、データ信号Ｓ２２に含まれるフレームからデータおよびそのデータの誤り訂正符号を取り出して誤り訂正復号化部４２に供給するとともに、このフレームから制御データおよびその制御データの誤り訂正符号を取り出して誤り訂正復号化部４３に供給するものである。
【００４０】
誤り訂正復号化部４２は、フレーム分離部４１から供給されたデータおよびそのデータの誤り訂正符号に基づいて、誤り訂正復号化処理を行うことにより、データＩＮＦ２を生成するものである。また、誤り訂正復号化部４２は、所定の期間における誤り数をカウントし、そのカウント結果を誤り率監視部６０に供給する機能をも有している。同様に、誤り訂正復号化部４３は、フレーム分離部４１から供給された制御データおよびその制御データの誤り訂正符号に基づいて、誤り訂正復号化処理を行うことにより、制御データＩＮＦＣ２を生成するものである。また、誤り訂正復号化部４３は、所定の期間における誤り数をカウントし、そのカウント結果を誤り率監視部６０に供給する機能をも有している。
【００４１】
誤り率監視部６０は、誤り訂正復号化部４２，４３から供給されたカウント結果に基づいて、発光停止命令ＣＯＭ２５を生成するものである。誤り率監視部６０は、誤り率推定部６１と、制限値記憶部６２と、誤り率比較部６３とを有している。誤り率推定部６１は、誤り訂正復号化部４２，４３から供給されたカウント結果に基づいて、通信システム１における誤り率ＢＥＲを推定するものである。制限値記憶部６２は、誤り率ＢＥＲの上限値ＢＥＲＨを記憶するものである。誤り率比較部６３は、誤り率推定部６１が推定した誤り率ＢＥＲと、制限値記憶部５２が記憶している誤り率ＢＥＲの上限値ＢＥＲＨとを比較し、誤り率ＢＥＲが上限値ＢＥＲＨを上回っている場合に、発光停止命令ＣＯＭ２５を生成するものである。
【００４２】
処理部２４（図１）は、データＩＮＦ２および制御データＩＮＦＣ２に基づいて所定の処理を行うものである。また、処理部２４は、制御データＩＮＦＣ２に含まれる出力レベル情報ＩＮＦＬ１を、受信部４０の入力レベル監視部５０に供給する機能をも有している。
【００４３】
接続検出部２５は、送信装置１０と受信装置２０とが互いに接続されていることを検出するものである。接続検出部２５は、接続信号送信部２５Ａと、接続信号受信部２５Ｂとを有している。接続信号送信部２５Ａは、接続信号を、電線９１２を介して送信装置１０に対して送信するものである。接続信号受信部２５Ｂは、送信装置１０の接続信号送信部１５Ａから送信された接続信号を、電線９１１を介して受信することにより、送信装置１０と受信装置２０とが互いに接続されていることを検出するものである。そして、接続信号受信部２５Ｂは、その接続検出結果を制御部２９に通知するようになっている。その際、接続信号受信部２５Ｂは、送信装置１０と受信装置２０とが互いに接続されていないことを検出した場合には、発光停止命令ＣＯＭ２２を生成するようになっている。
【００４４】
操作部２７は、ユーザの操作を受け付けるものである。具体的には、操作部２７は、ユーザの操作に基づいて、発光停止命令ＣＯＭ２３を生成するようになっている。
【００４５】
送信部２８は、制御部２９から供給された制御信号ＣＴＬ１を、電線９１３を介して、送信装置１０に対して送信するものである。
【００４６】
制御部２９は、受信装置２０内の各ブロックの動作を制御するものである。具体的には、制御部２９は、接続信号受信部２５Ｂから、送信装置１０と受信装置２０とが互いに接続されている旨の通知を受けた場合には、受信部４０にデータ信号の受信を開始させる。そして、制御部２９は、送信装置１０から送信されたデータ信号を受信できている旨の通知を含む制御信号ＣＴＬ１を生成する。また、制御部２９は、発光停止命令ＣＯＭ２２〜ＣＯＭ２５を受け取った場合には、発光停止命令ＣＯＭ２２〜ＣＯＭ２５を含む制御信号ＣＴＬ１を生成するようになっている。
【００４７】
ここで、送信部３０は、本開示の第１の通信装置における「送信部」の一具体例に対応する。接続検出部１５は、本開示の第１の通信装置における「接続検出部」の一具体例に対応する。制御部１９は、本開示の第１の通信装置における「制御部」の一具体例に対応する。受信部１８は、本開示の第１の通信装置における「受信部」の一具体例に対応する。
【００４８】
受信部４０は、本開示の第２の通信装置における「受信部」の一具体例に対応する。接続検出部２５は、本開示の第２の通信装置における「接続検出部」の一具体例に対応する。制御部２９は、本開示の第２の通信装置における「制御部」の一具体例に対応する。送信部２８は、本開示の第２の通信装置における「送信部」の一具体例に対応する。
【００４９】
［動作および作用］
続いて、本実施の形態の通信システム１の動作および作用について説明する。
【００５０】
（全体動作概要）
まず、図１を参照して、通信システム１の全体動作概要を説明する。送信装置１０において、処理部１２（図１）は、所定の処理を行うことにより、データＩＮＦ１、および出力レベル情報ＩＮＦＬ１を含む制御データＩＮＦＣ１を生成する。送信部３０は、データＩＮＦ１および制御データＩＮＦＣ１に基づいて、データ信号Ｓ３０を生成する。また、送信部３０は、制御信号ＣＬＤ１１，ＣＬＤ１２に基づいて、発光部１４における発光動作を信号Ｓ３４を用いて制御する。発光部１４は、電気信号（データ信号Ｓ３０）を光信号に変換して、その光信号を出力する。接続検出部１５は、送信装置１０と受信装置２０とが互いに接続されていることを検出する。受信部１８は、受信装置２０から送信された制御信号ＣＴＬ１を、電線９１３を介して受け取る。制御部１９は、出力レベル情報ＩＮＦＬ１を生成するとともに、制御信号ＣＬＤ１１，ＣＬＤ１２を用いて、送信部３０の駆動電流制御部３４および電源部３５を制御する。
【００５１】
受信装置２０において、受光部２２は、送信装置１０から送信された光信号を電気信号に変換することにより、データ信号Ｓ２２を生成する。受信部４０は、データ信号Ｓ２２に基づいて、データＩＮＦ２および制御データＩＮＦＣ２を生成する。処理部２４は、データＩＮＦ２および制御データＩＮＦＣ２に基づいて所定の処理を行うとともに、制御データＩＮＦＣ２に含まれる出力レベル情報ＩＮＦＬ１を受信部４０に供給する。接続検出部２５は、送信装置１０と受信装置２０とが互いに接続されていることを検出する。制御部２９は、送信装置１０から送信されたデータ信号を受信できている旨の通知を含む制御信号ＣＴＬ１を生成する。送信部２８は、制御信号ＣＴＬ１を、電線９１３を介して、送信装置１０に対して送信する。
【００５２】
通信システム１において、正常に通信が行われていない場合には、様々なブロックが発光停止命令を生成する。具体的には、受信装置２０において、受信部４０の入力レベル監視部５０は、データ信号Ｓ２２の入力レベルＬinに基づいて発光停止命令ＣＯＭ２４を生成する。受信部４０の誤り率監視部６０は、データ信号Ｓ２２の誤り率ＢＥＲに基づいて発光停止命令ＣＯＭ２５を生成する。接続検出部２５は、送信装置１０と受信装置２０とが互いに接続されていないことを検出した場合には、発光停止命令ＣＯＭ２２を生成する。操作部２７は、ユーザの操作に基づいて、発光停止命令ＣＯＭ２３を生成する。制御部２９は、受け取った発光停止命令ＣＯＭ２２〜ＣＯＭ２５に基づいて、発光停止命令ＣＯＭ２２〜ＣＯＭ２５を含む制御信号ＣＴＬ１を生成する。そして、送信部２８は、発光停止命令ＣＯＭ２２〜ＣＯＭ２５を含む制御信号ＣＴＬ１を送信装置１０に送信する。
【００５３】
送信装置１０において、送信部３０の駆動電流監視部３６は、発光部１４における駆動電流に基づいて、発光停止命令ＣＯＭ１１を生成する。接続検出部１５は、送信装置１０と受信装置２０とが互いに接続されていないことを検出した場合には、発光停止命令ＣＯＭ１２を生成する。操作部１７は、ユーザの操作に基づいて、発光停止命令ＣＯＭ１３を生成する。受信部１８は、受信装置２０から送信された、発光停止命令ＣＯＭ２２〜ＣＯＭ２５を含む制御信号ＣＴＬ１を受け取る。制御部１９は、発光停止命令ＣＯＭ１１〜ＣＯＭ１３、ＣＯＭ２２〜ＣＯＭ２５を受け取った場合には、送信部３０に制御信号ＣＬＤ１１，ＣＬＤ１２を供給することにより、発光部１４における発光動作を停止させるように指示する。
【００５４】
（詳細動作）
通信システム１では、意図しない様々な状況が生じても、レーザ光が光ケーブルから漏れるおそれを低減することができるようになっている。以下に、３つのケースＣ１〜Ｃ３を挙げて、通信システム１の動作を詳細に説明する。
【００５５】
（ケースＣ１）
ケースＣ１は、意図しない理由により、伝送ケーブル９０が送信装置１０から外れ、あるいは、伝送ケーブル９０が受信装置２０から外れた場合である。
【００５６】
このケースＣ１では、送信装置１０の接続信号受信部１５Ｂは、受信装置２０の接続信号送信部２５Ａから送信された接続信号を受信できなくなり、同様に、受信装置２０の接続信号受信部２５Ｂは、送信装置１０の接続信号送信部１５Ａから送信された接続信号を受信できなくなる。このとき、送信装置１０の接続信号受信部１５Ｂは、送信装置１０と受信装置２０とが互いに接続されていないことを検出し、発光停止命令ＣＯＭ１２を生成する。制御部１９は、この発光停止命令ＣＯＭ１２に基づいて、送信部３０に対して、発光部１４における発光動作を停止させるように指示する。具体的には、制御部１９は、制御信号ＣＬＤ１１を用いて、駆動電流制御部３４に対して、発光部１４における発光動作を停止させるように指示する。これにより、駆動電流制御部３４は、発光部１４に駆動電流が流れないように制御する。その結果、発光部１４は発光動作を停止する。
【００５７】
また、このケースＣ１では、受信部１８は、制御信号ＣＴＬ１を受信できないため、制御部１９は、受信装置２０が送信装置１０から送信されたデータ信号を受信できている旨の通知を受け取らない。よって、制御部１９は、制御信号ＣＬＤ１１を用いて、駆動電流制御部３４に対して、発光部１４における発光動作を停止させるように指示する。その結果、発光部１４は発光動作を停止する。
【００５８】
また、例えば、ユーザが、伝送ケーブル９０が外れていることに気付いた場合には、ユーザが送信装置１０の操作部１７を操作することにより、操作部１７が発光停止命令ＣＯＭ１３を生成する。制御部１９は、この発光停止命令ＣＯＭ１３に基づいて、送信部３０に対して、発光部１４における発光動作を停止させるように指示する。具体的には、制御部１９は、制御信号ＣＬＤ１１を用いて、駆動電流制御部３４に対して、発光部１４における発光動作を停止させるように指示する。その結果、発光部１４は発光動作を停止する。
【００５９】
また、ユーザが受信装置２０の操作部２７を操作することにより、操作部２７が発光停止命令ＣＯＭ２３を生成してもよい。この場合には、制御部２９は、受け取った発光停止命令ＣＯＭ２３に基づいて、発光停止命令ＣＯＭ２３を含む制御信号ＣＴＬ１を生成し、送信部２８は、発光停止命令ＣＯＭ２３を含む制御信号ＣＴＬ１を送信装置１０に送信する。送信装置１０において、受信部１８は、この発光停止命令ＣＯＭ２３を含む制御信号ＣＴＬ１を受け取る。そして、制御部１９は、この発光停止命令ＣＯＭ２３に基づいて、送信部３０に対して、発光部１４における発光動作を停止させるように指示する。具体的には、制御部１９は、制御信号ＣＬＤ１１を用いて、駆動電流制御部３４に対して、発光部１４における発光動作を停止させるように指示する。その結果、発光部１４は発光動作を停止する。
【００６０】
（ケースＣ２）
ケースＣ２は、意図しない理由により、伝送ケーブル９０のうち、光ファイバ９０１が断線し、電線９１１〜９１３は断線していない場合である。
【００６１】
このケースＣ２では、送信装置１０の接続信号受信部１５Ｂは、受信装置２０の接続信号送信部２５Ａから送信された接続信号を受信し、同様に、受信装置２０の接続信号受信部２５Ｂは、送信装置１０の接続信号送信部１５Ａから送信された接続信号を受信する。よって、発光停止命令ＣＯＭ１２，ＣＯＭ２２は生成されない。
【００６２】
しかしながら、光ファイバ９０１が断線しているため、受信装置２０において、入力レベルＬinが低くなる。よって、受信部４０の入力レベル監視部５０において、入力レベル比較部５３は、入力レベル検出部５１が検出した入力レベルＬinが、制限値記憶部５２が記憶している入力レベルＬinの下限値ＬinLよりも低いと判断し、発光停止命令ＣＯＭ２４を生成する。制御部２９は、受け取った発光停止命令ＣＯＭ２４に基づいて、発光停止命令ＣＯＭ２４を含む制御信号ＣＴＬ１を生成し、送信部２８は、発光停止命令ＣＯＭ２４を含む制御信号ＣＴＬ１を送信装置１０に送信する。送信装置１０において、受信部１８は、この発光停止命令ＣＯＭ２４を含む制御信号ＣＴＬ１を受け取る。そして、制御部１９は、この発光停止命令ＣＯＭ２４に基づいて、送信部３０に対して、発光部１４における発光動作を停止させるように指示する。具体的には、制御部１９は、制御信号ＣＬＤ１２を用いて、電源部３５に対して、駆動電流制御部３４への電源供給を停止させるように指示する。これにより、発光部１４に駆動電流が流れないため、発光部１４は発光動作を停止する。
【００６３】
また、このように光ファイバ９０１が断線しているため、受信装置２０において、誤り率ＢＥＲが高くなる。よって、受信部４０の誤り率監視部６０において、誤り率比較部６３は、誤り率推定部６１が推定した誤り率ＢＥＲが、制限値記憶部５２が記憶している誤り率ＢＥＲの上限値ＢＥＲＨよりも高いと判断し、発光停止命令ＣＯＭ２５を生成する。制御部２９は、受け取った発光停止命令ＣＯＭ２５に基づいて、発光停止命令ＣＯＭ２５を含む制御信号ＣＴＬ１を生成し、送信部２８は、発光停止命令ＣＯＭ２５を含む制御信号ＣＴＬ１を送信装置１０に送信する。送信装置１０において、受信部１８は、この発光停止命令ＣＯＭ２５を含む制御信号ＣＴＬ１を受け取る。制御部１９は、この発光停止命令ＣＯＭ２５に基づいて、送信部３０に対して、発光部１４における発光動作を停止させるように指示する。具体的には、制御部１９は、制御信号ＣＬＤ１１を用いて、駆動電流制御部３４に対して、発光部１４における発光動作を停止させるように指示する。その結果、発光部１４は発光動作を停止する。
【００６４】
また、このケースＣ２では、受信装置２０は、送信装置１０から送信されたデータ信号を受信できていないため、制御部２９は、制御信号ＣＴＬ１に、送信装置１０から送信されたデータ信号を受信できている旨の通知を含む制御信号ＣＴＬ１を生成しない。よって、送信装置１０において、制御部１９は、制御信号ＣＬＤ１１を用いて、駆動電流制御部３４に対して、発光部１４における発光動作を停止させるように指示する。その結果、発光部１４は発光動作を停止する。
【００６５】
また、例えば、光ファイバ９０１が完全に断線しておらず、受信装置２０が光信号の一部を受信する場合もあり得る。そして、このような場合において、入力レベルＬinはやや低いものの、この入力レベルＬinが、入力レベルＬinの下限値ＬinLより高く、誤り率ＢＥＲが、誤り率ＢＥＲの上限値ＢＥＲＨよりも低い場合があり得る。しかしながら、このような場合には、送信装置１０の発光部１４が出力する光信号の出力レベルＬoutに比べて、十分に低くなる。すなわち、送信装置１０から送信された光信号の一部が光ファイバ９０１から漏れるため、入力レベルＬinが低くなる。よって、入力レベル比較部５３は、出力レベル情報ＩＮＦＬ１が示す出力レベルＬout、光伝送路（光ファイバ９０１およびコネクタ９１，９２，１１，２１）による損失、受光部２２の最小受光感度などを考慮し、入力レベルＬinが低すぎる場合には、発光停止命令ＣＯＭ２４を生成する。送信装置１０の制御部１９は、この発光停止命令ＣＯＭ２４に基づいて、送信部３０に対して、発光部１４における発光動作を停止させるように指示する。具体的には、制御部１９は、制御信号ＣＬＤ１２を用いて、電源部３５に対して、駆動電流制御部３４への電源供給を停止するように指示する。これにより、発光部１４に駆動電流が流れないため、発光部１４は発光動作を停止する。
【００６６】
また、例えば、ユーザが、光ファイバ９０１が断線していることに気付いた場合には、ケースＣ１と同様に、例えば、ユーザが送信装置１０の操作部１７を操作することにより、操作部１７が発光停止命令ＣＯＭ１３を生成する。また、例えば、ユーザが受信装置２０の操作部２７を操作した場合には、操作部２７が発光停止命令ＣＯＭ２３を生成する。その結果、ケースＣ１と同様に、発光部１４は発光動作を停止する。
【００６７】
（ケースＣ３）
ケースＣ３は、意図しない理由により、送信装置１０の駆動電流制御部３４や発光部１４が誤動作し、出力レベルＬoutが高くなりすぎる場合である。
【００６８】
このケースＣ３では、発光部１４における駆動電流が大きくなる。よって、送信部３０の駆動電流監視部３６において、電流値比較部３９は、駆動電流検出部３７が検出した駆動電流の電流値Ｉdrvが、制限値記憶部３８が記憶している上限値ＩdrvHよりも大きいと判断し、発光停止命令ＣＯＭ１１を生成する。制御部１９は、この発光停止命令ＣＯＭ１１に基づいて、送信部３０に対して、発光部１４における発光動作を停止させるように指示する。具体的には、制御部１９は、制御信号ＣＬＤ１２を用いて、電源部３５に対して、駆動電流制御部３４への電源供給を停止させるように指示する。これにより、発光部１４に駆動電流が流れないため、発光部１４は発光動作を停止する。
【００６９】
また、このケースＣ３では、受信装置２０において、入力レベルＬinが高くなる。よって、受信部４０の入力レベル監視部５０において、入力レベル比較部５３は、入力レベル検出部５１が検出した入力レベルＬinが、制限値記憶部５２が記憶している入力レベルＬinの上限値ＬinHよりも高いと判断し、発光停止命令ＣＯＭ２４を生成する。制御部２９は、受け取った発光停止命令ＣＯＭ２４に基づいて、発光停止命令ＣＯＭ２４を含む制御信号ＣＴＬ１を生成し、送信部２８は、発光停止命令ＣＯＭ２４を含む制御信号ＣＴＬ１を送信装置１０に送信する。送信装置１０において、受信部１８は、この発光停止命令ＣＯＭ２４を含む制御信号ＣＴＬ１を受け取る。制御部１９は、この発光停止命令ＣＯＭ２４に基づいて、送信部３０に対して、発光部１４における発光動作を停止させるように指示する。具体的には、制御部１９は、制御信号ＣＬＤ１２を用いて、電源部３５に対して、駆動電流制御部３４への電源供給を停止させるように指示する。これにより、発光部１４に駆動電流が流れないため、発光部１４は発光動作を停止する。
【００７０】
また、例えば、ユーザが、出力レベルＬoutが高くなりすぎていることに気付いた場合には、ケースＣ１，Ｃ２と同様に、例えば、ユーザが送信装置１０の操作部１７を操作することにより、操作部１７が発光停止命令ＣＯＭ１３を生成する。また、例えば、ユーザが受信装置２０の操作部２７を操作した場合には、操作部２７が発光停止命令ＣＯＭ２３を生成する。その結果、ケースＣ１，Ｃ２と同様に、発光部１４は発光動作を停止する。
【００７１】
このように、通信システム１では、ケースＣ１〜Ｃ３のような意図しない様々な状況が生じても、発光部１４における発光動作を停止させるようにしたので、レーザ光が光ケーブルから漏れるおそれを低減することができる。その結果、通信システム１では、安全性を高めることができる。
【００７２】
また、通信システム１では、フレームが出力レベル情報ＩＮＦＬ１を含むようにしたので、ケースＣ２に示したように、例えば、光ファイバ９０１が完全に断線しておらず、受信装置２０が光信号の一部を受信する場合でも、発光停止命令ＣＯＭ１３を生成することができる。その結果、通信システム１では、安全性を高めることができる。
【００７３】
また、通信システム１では、ケースＣ１〜Ｃ３のそれぞれにおいて、複数の方法により発光部１４における発光動作を停止させることができるようにしたので、仮に一つの方法が故障などにより機能しなくても、他の方法により発光動作を停止させることができる。その結果、通信システム１では、安全性を高めることができる。
【００７４】
［効果］
以上のように本実施の形態では、ケースＣ１〜Ｃ３のような意図しない様々な状況が生じても、発光部における発光動作を停止させるようにしたので、安全性を高めることができる。
【００７５】
本実施の形態では、フレームが出力レベル情報を含むようにしたので、例えば、光ファイバが完全に断線していない場合でも、安全性を高めることができる。
【００７６】
［変形例１］
上記実施の形態では、１本の光ファイバ９０１を介してデータ信号を送信したが、これに限定されるものではなく、これに代えて、例えば、複数の光ファイバを介してデータ信号を送信してもよい。以下に、本変形例について詳細に説明する。
【００７７】
図４は、本変形例に係る通信システム１Ａの一構成例を表すものである。通信システム１Ａは、伝送ケーブル９０Ａと、送信装置１０Ａと、受信装置２０Ａとを備えている。伝送ケーブル９０Ａは、４本の光ファイバ９０１〜９０４を有している。光ファイバ９０１〜９０４のそれぞれは、送信装置１０Ａから受信装置２０Ａに対してデータ信号を伝えるものである。
【００７８】
送信装置１０Ａは、送信レーン１０１〜１０４と、制御部１９Ａとを有している。送信レーン１０１〜１０４は、それぞれ、光ファイバ９０１〜９０４に対応している。送信レーン１０１〜１０４のそれぞれは、処理部１２と、送信部３０と、発光部１４とを有している。制御部１９Ａは、送信レーン１０１〜１０４のそれぞれに対して、制御信号ＣＬＤ１１，ＣＬＤ１２および出力レベル情報ＩＮＦＬ１を供給するとともに、送信レーン１０１〜１０４のそれぞれから、発光停止命令ＣＯＭ１１を受け取るようになっている。これにより、制御部１９Ａは、送信レーン１０１〜１０４を別々に制御することができるようになっている。
【００７９】
受信装置２０Ａは、受信レーン２０１〜２０４と、制御部２９Ａとを有している。受信レーン２０１〜２０４は、それぞれ、光ファイバ９０１〜９０４に対応している。受信レーン２０１〜２０４のそれぞれは、受光部２２と、受信部４０と、処理部２４とを有している。制御部２９Ａは、受信レーン２０１〜２０４のそれぞれから、発光停止命令ＣＯＭ２４，ＣＯＭ２５を受け取るものである。これにより、制御部２９Ａは、受信レーン２０１〜２０４を別々に制御することができるようになっている。
【００８０】
この構成により、例えば、光ファイバ９０１が断線している場合（ケースＣ２）には、制御部１９Ａは、その光ファイバ９０１に対応する送信レーン１０１の発光部１４における発光動作を停止するように指示する。これにより、通信システム１Ａでは、安全性を高めることができる。
【００８１】
［変形例２］
上記実施の形態では、送信装置１０および受信装置２０を用いて通信システム１を構成したが、これに限定されるものではなく、これに代えて、例えば、データ信号を送受信可能な２つの通信装置を用いて通信システムを構成してもよい。以下に、本変形例について詳細に説明する。
【００８２】
図５は、本変形例に係る通信システム２の一構成例を表すものである。通信システム２は、伝送ケーブル９０Ｂと、通信装置７０，８０とを備えている。伝送ケーブル９０Ｂは、光ファイバ９０１，９０５を有している。光ファイバ９０１は、通信装置７０から通信装置８０に対してデータ信号を伝えるものである。光ファイバ９０５は、通信装置８０から通信装置７０に対してデータ信号を伝えるものである。
【００８３】
通信装置７０は、コネクタ１１と、処理部７２と、送信部３０と、発光部１４と、受光部７７と、受信部１３０と、処理部７８と、接続検出部１５と、操作部１７と、制御部７９とを有している。通信装置８０は、受光部２２と、受信部４０と、処理部８４と、処理部８７と、送信部１４０と、発光部８８と、接続検出部２５と、操作部２７と、制御部８９とを有している。
【００８４】
まず、通信装置７０から通信装置８０へのデータ送信に着目して、各ブロックについて説明する。
【００８５】
通信装置７０の処理部７２は、上記実施の形態に係る処理部１２と同様に、所定の処理を行うことによりデータＩＮＦ１および制御データＩＮＦＣ１を生成するものである。その際、処理部７２は、出力レベル情報ＩＮＦＬ１と、制御部７９から供給された制御信号ＣＴＬ２とに基づいて制御データＩＮＦＣ１を生成するようになっている。制御信号ＣＴＬ２は、発光停止命令ＣＯＭ１２〜ＣＯＭ１５を含むものである。
【００８６】
制御部７９は、上記実施の形態に係る制御部１９と同様に、接続信号受信部１５Ｂから、通信装置７０と通信装置８０とが互いに接続されている旨の通知を受けた場合には、送信部３０に制御信号ＣＬＤ１１，ＣＬＤ１２を供給することにより、発光部１４に所望の駆動電流が流れるように発光部１４を制御する。そして、制御部７９は、その駆動電流に対応する出力レベルＬoutを示す出力レベル情報ＩＮＦＬ１を生成し、その出力レベル情報ＩＮＦＬ１を処理部７２に対して供給する。また、制御部７９は、発光停止命令ＣＯＭ１１〜ＣＯＭ１３、ＣＯＭ２２〜ＣＯＭ２５を受け取った場合には、送信部３０に制御信号ＣＬＤ１１，ＣＬＤ１２を供給することにより、送信部３０に対して、発光部１４における発光動作を停止させるように指示するようになっている。
【００８７】
通信装置８０の処理部８４は、上記実施の形態に係る処理部２４と同様に、データＩＮＦ２および制御データＩＮＦＣ２に基づいて所定の処理を行うものである。その際、処理部８４は、制御データＩＮＦＣ２に含まれる出力レベル情報ＩＮＦＬ１を受信部４０に供給するとともに、制御データＩＮＦＣ２に含まれる制御信号ＣＴＬ２を制御部８９に供給するようになっている。
【００８８】
制御部８９は、上記実施の形態に係る制御部２９と同様に、接続信号受信部２５Ｂから、通信装置７０と通信装置８０とが互いに接続されている旨の通知を受けた場合には、受信部４０にデータ信号の受信を開始させる。そして、制御部８９は、通信装置７０から送信されたデータ信号を受信できている旨の通知を含む制御信号ＣＴＬ１を生成する。また、制御部８９は、発光停止命令ＣＯＭ２２〜ＣＯＭ２５を受け取った場合には、発光停止命令ＣＯＭ２２〜ＣＯＭ２５を含む制御信号ＣＴＬ１を生成するようになっている。
【００８９】
次に、通信装置８０から通信装置７０へのデータ送信に着目して、各ブロックについて説明する。
【００９０】
通信装置８０の処理部８７は、通信装置７０の処理部７２と同様に、所定の処理を行うことによりデータＩＮＦ３および制御データＩＮＦＣ３を生成するものである。その際、処理部８７は、出力レベル情報ＩＮＦＬ２と、制御部８９から供給された制御信号ＣＴＬ１とに基づいて制御データＩＮＦＣ３を生成するようになっている。
【００９１】
送信部１４０は、通信装置７０の送信部３０と同様に、データＩＮＦ３および制御データＩＮＦＣ３に基づいて、データ信号Ｓ１４０を生成するものである。また、送信部１４０は、制御信号ＣＬＤ２１，ＣＬＤ２２に基づいて、信号Ｓ１４４を用いて発光部８８が出力する光信号の出力レベルＬoutを制御する。また、送信部１４０は、発光部８８における駆動電流に基づいて、発光停止命令ＣＯＭ２１を生成する機能をも有している。
【００９２】
発光部８８は、通信装置７０の発光部１４と同様に、電気信号（データ信号Ｓ１４０）を光信号に変換して、その光信号を出力するとともに、信号Ｓ１４４に基づいて、光信号の出力レベルＬoutを変更するものである。また、発光部８８は、送信部１４０に対して、駆動電流の電流値Ｉdrvを検出するための信号Ｓ８８を供給する機能をも有している。
【００９３】
制御部８９は、通信装置７０の処理部７９と同様に、接続信号受信部２５Ｂから、通信装置７０と通信装置８０とが互いに接続されている旨の通知を受けた場合には、送信部１４０に制御信号ＣＬＤ２１，ＣＬＤ２２を供給することにより、発光部８８に所望の駆動電流が流れるように、発光部８８を制御する。そして、制御部８９は、その駆動電流に対応する出力レベルＬoutを示す出力レベル情報ＩＮＦＬ２を生成し、その出力レベル情報ＩＮＦＬ２を処理部８７に対して供給する。また、制御部８９は、発光停止命令ＣＯＭ２１〜ＣＯＭ２３、ＣＯＭ１２〜ＣＯＭ１５を受け取った場合には、送信部１４０に制御信号ＣＬＤ２１，ＣＬＤ２２を供給することにより、送信部１４０に対して、発光部８８における発光動作を停止させるように指示するようになっている。
【００９４】
通信装置７０の受光部７７は、通信装置８０の受光部２２と同様に、通信装置８０から送信された光信号を電気信号に変換することにより、データ信号Ｓ７７を生成するものである。
【００９５】
受信部１３０は、通信装置８０の受信部４０と同様に、データ信号Ｓ７７に基づいて、データＩＮＦ４および制御データＩＮＦＣ４を生成するものである。また、受信部１３０は、データ信号Ｓ７７の入力レベルＬinに基づいて発光停止命令ＣＯＭ１４を生成するとともに、データ信号Ｓ７７の誤り率ＢＥＲに基づいて発光停止命令ＣＯＭ１５を生成する機能をも有している。
【００９６】
処理部７８は、通信装置８０の処理部８４と同様に、データＩＮＦ４および制御データＩＮＦＣ４に基づいて所定の処理を行うものである。その際、処理部７８は、制御データＩＮＦＣ４に含まれる出力レベル情報ＩＮＦＬ２を受信部１３０に供給するとともに、制御データＩＮＦＣ４に含まれる制御信号ＣＴＬ１を制御部７９に供給するようになっている。
【００９７】
制御部７９は、通信装置８０の制御部８９と同様に、接続信号受信部１５Ｂから、通信装置７０と通信装置８０とが互いに接続されている旨の通知を受けた場合には、受信部１３０にデータ信号の受信を開始させる。そして、制御部７９は、通信装置８０から送信されたデータ信号を受信できている旨の通知を含む制御信号ＣＴＬ２を生成する。また、制御部７９は、発光停止命令ＣＯＭ１２〜ＣＯＭ１５を受け取った場合には、発光停止命令ＣＯＭ１２〜ＣＯＭ１５を含む制御信号ＣＴＬ２を生成するようになっている。
【００９８】
ここで、制御部７９は、本開示の第１の通信装置における「制御部」の一具体例に対応する。受信部１３０は、本開示の第１の通信装置における「受信部」の一具体例に対応する。制御部８９は、本開示の第２の通信装置における「制御部」の一具体例に対応する。送信部１４０は、本開示の第２の通信装置における「送信部」の一具体例に対応する。
【００９９】
図６Ａは、光ファイバ９０１を用いた光通信を監視する場合の動作を表すものである。この図６Ａでは、この動作において特に重要な信号を実線で示し、それ以外の信号を破線で示している。この場合には、通信装置７０が、光ファイバ９０１を介して、データ信号を通信装置８０に送信する。そして、通信装置８０の制御部８９が、制御信号ＣＴＬ１を、光ファイバ９０５を介して、通信装置７０の制御部７９に供給する。これにより、通信システム２は、上記実施の形態に係る通信システム１と同様に、光ファイバ９０１における光通信を監視する。
【０１００】
図６Ｂは、光ファイバ９０５を用いた光通信を監視する場合の動作を表すものである。この図６Ｂでは、この動作において特に重要な信号を実線で示し、それ以外の信号を破線で示している。この場合には、通信装置８０が、光ファイバ９０５を介して、データ信号を通信装置７０に送信する。そして、通信装置７０の制御部７９が、制御信号ＣＴＬ２を、光ファイバ９０１を介して、通信装置８０の制御部８９に供給する。これにより、通信システム２は、上記実施の形態に係る通信システム１と同様に、光ファイバ９０５における光通信を監視する。
【０１０１】
以上、実施の形態およびいくつかの変形例を挙げて本技術を説明したが、本技術はこれらの実施の形態等には限定されず、種々の変形が可能である。
【０１０２】
例えば、上記実施の形態の変形例１では、複数の光ファイバを用いて通信システムを構成した。そして、上記実施の形態の変形例２では、データ信号を送受信可能な２つの通信装置を用いて通信システムを構成した。これらに限定されるものではなく、例えば、これらを組み合わせてもよい。すなわち、例えば、図５において、通信装置７０から通信装置８０へデータ信号を送信する際に複数の光ファイバを用い、通信装置８０から通信装置７０へデータ信号を送信する際に複数の光ファイバを用いてもよい。
【０１０３】
なお、本明細書に記載された効果はあくまで例示であって限定されるものでは無く、また他の効果があってもよい。
【０１０４】
なお、本技術は以下のような構成とすることができる。
【０１０５】
（１）光信号を送信する発光部に対して、第１のデータ信号を供給する送信部と、
第１の電気信号を用いて通信相手との接続を検出する接続検出部と、
前記接続検出部における検出結果に基づいて、前記発光部における発光動作を停止させる制御部と
を備えた通信装置。
【０１０６】
（２）前記送信部は、前記発光部における駆動電流の電流値を検出する検出部を有し、
前記制御部は、さらに、前記検出部における検出結果に基づいて、前記発光部における発光動作を停止させる
前記（１）に記載の通信装置。
【０１０７】
（３）前記第１のデータ信号は、前記発光部における前記データ信号の出力レベルを示すレベル情報を含む
前記（１）または（２）に記載の通信装置。
【０１０８】
（４）ユーザの操作を受け付ける操作部をさらに備え、
前記制御部は、さらに、前記操作部が受け付けたユーザの操作に基づいて、前記発光部における発光動作を停止させる
前記（１）から（３）のいずれかに記載の通信装置。
【０１０９】
（５）第１の発光停止命令を受信する受信部をさらに備え、
前記制御部は、さらに、前記第１の発光停止命令に基づいて、前記発光部における発光動作を停止させる
前記（１）から（４）のいずれかに記載の通信装置。
【０１１０】
（６）前記受信部は、前記第１の発光停止命令を含む第２の電気信号を受信する
前記（５）に記載の通信装置。
【０１１１】
（７）前記受信部は、光信号を受信する受光部から、前記第１の発光停止命令を含む第２のデータ信号を受け取る
前記（５）に記載の通信装置。
【０１１２】
（８）前記制御部は、さらに、前記接続検出部における検出結果に基づいて、前記通信相手の発光部における発光動作を停止させる第２の発光停止命令を生成し、
前記第１のデータ信号は、前記第２の発光停止命令を含む
前記（７）に記載の通信装置。
【０１１３】
（９）光信号を受信する受光部から、第１のデータ信号を受け取る受信部と、
第１の電気信号を用いて通信相手との接続を検出する接続検出部と、
前記接続検出部における検出結果に基づいて、前記通信相手の発光部における発光動作を停止させる発光停止命令を生成する制御部と、
前記発光停止命令を送信する送信部と
を備えた通信装置。
【０１１４】
（１０）前記受信部は、前記第１のデータ信号の入力レベルを検出する第１の検出部を有し、
前記制御部は、さらに、前記第１の検出部における検出結果に基づいて、前記発光停止命令を生成する
前記（９）に記載の通信装置。
【０１１５】
（１１）前記第１のデータ信号は、前記通信相手の前記発光部における前記第１のデータ信号の出力レベルを示すレベル情報を含み、
前記制御部は、さらに、前記レベル情報に基づいて、前記発光停止命令を生成する
前記（１０）に記載の通信装置。
【０１１６】
（１２）前記受信部は、前記第１のデータ信号の誤り率を検出する第２の検出部を有し、
前記制御部は、さらに、前記第２の検出部における検出結果に基づいて、前記発光停止命令を生成する
前記（９）から（１１）のいずれかに記載の通信装置。
【０１１７】
（１３）ユーザの操作を受け付ける操作部をさらに備え、
前記制御部は、さらに、前記操作部が受け付けたユーザの操作に基づいて、前記発光停止命令を生成する
前記（９）から（１２）のいずれかに記載の通信装置。
【０１１８】
（１４）前記送信部は、前記発光停止命令を含む第２の電気信号を送信する
前記（９）から（１３）のいずれかに記載の通信装置。
【０１１９】
（１５）前記送信部は、光信号を送信する発光部に対して、第２のデータ信号を供給する
前記（９）から（１３）のいずれかに記載の通信装置。
【０１２０】
（１６）第１の通信装置と、
第２の通信装置と
を備え、
前記第１の通信装置は、
前記第２の通信装置に光信号を送信する発光部に対して、データ信号を供給する第１の送信部と、
第１の電気信号を用いて前記第２の通信装置との接続を検出する第１の接続検出部と、
前記第１の接続検出部における検出結果に基づいて、前記発光部における発光動作を停止させる第１の制御部と
を有する
通信システム。
【０１２１】
（１７）前記第２の通信装置は、
前記第１の通信装置から送信された光信号を受信する受光部から、前記データ信号を受け取る第１の受信部と、
前記第１の電気信号を用いて前記第１の通信装置との接続を検出する第２の接続検出部と、
前記第２の接続検出部における検出結果に基づいて、前記第１の通信装置の前記発光部における発光動作を停止させる発光停止命令を生成する第２の制御部と、
前記第１の通信装置に対して、前記発光停止命令を送信する第２の送信部と
を有し、
前記第１の通信装置は、
前記通信相手から、前記発光停止命令を受信する第２の受信部をさらに有し、
前記制御部は、さらに、前記発光停止命令に基づいて、前記発光部における発光動作を停止させる
前記（１６）に記載の通信システム。
【符号の説明】
【０１２２】
１，１Ａ，２…通信システム、１０，１０Ａ…送信装置、１１…コネクタ、１２…処理部、１４…発光部、１５…接続検出部、１５Ａ…接続信号送信部、１５Ｂ…接続信号受信部、１７…操作部、１８…受信部、１９，１９Ａ…制御部、２０，２０Ａ…受信装置、２１…コネクタ、２２…受光部、２４…処理部、２５…接続検出部、２５Ａ…接続信号送信部、２５Ｂ…接続信号受信部、２７…操作部、２８…送信部、２９，２９Ａ…制御部、３０，１４０…送信部、３１，３２…誤り訂正符号化部、３３…フレーム生成部、３４…駆動電流制御部、３５…電源部、３６…駆動電流監視部、３７…駆動電流検出部、３８…制限値記憶部、３９…電流値比較部、４０，１３０…受信部、４１…フレーム分離部、４２,４３…誤り訂正復号化部、５０…入力レベル監視部、５１…入力レベル検出部、５２…制限値記憶部、５３…入力レベル比較部、６０…誤り率監視部、６１…誤り率推定部、６２…制限値記憶部、６３…誤り率比較部、７２…処理部、７７…受光部、７８…処理部、７９…制御部、８４…処理部、８７…処理部、８８…発光部、８９…制御部、９０，９０Ａ，９０Ｂ…伝送ケーブル、１０１〜１０４…送信レーン、２０１〜２０４…受信レーン、９０１〜９０５…光ファイバ、９１１〜９１３…電線、７０，８０…通信装置、ＣＬＤ１１，ＣＬＤ１２，ＣＬＫ２１，ＣＬＤ２２…制御信号、ＣＯＭ１１〜ＣＯＭ１５，ＣＯＭ２１〜ＣＯＭ２５…発光停止命令、ＣＴＬ１，ＣＴＬ２…制御信号、ＩＮＦ１〜ＩＮＦ４…データ、ＩＮＦＣ１〜ＩＮＦＣ４…制御データ、ＩＮＦＬ１，ＩＮＦＬ２…出力レベル情報、Ｓ１４，Ｓ３４，Ｓ８８，Ｓ１４４…信号、Ｓ２２，Ｓ３０，Ｓ７７，Ｓ１４０…データ信号。
【図１】
0006554897.tif 000002
【図２】
0006554897.tif 000003
【図３】
0006554897.tif 000004
【図４】
0006554897.tif 000005
【図５】
0006554897.tif 000006
【図６Ａ】
0006554897.tif 000007
【図６Ｂ】
0006554897.tif 000008